(57)【要約】【課題】  身障者でも載せた物をこぼすことなく且つ固形物も掴み口に持って行くことができるスプーンを提供することを目的としている。【解決手段】  柄２の先端側に根元側で軸支部３で軸支され下方向に回動可能に設けられ且つスプリング４により上向き方向に付勢されたスプーン本体５と、柄２の先端側にスプーン本体５の縁に被さるように固定設けられた略リング形態の被さり体６と、スプーン本体５を柄２を握った手の指で押し込み操作して回動させるための押し込みボタンからなる操作部７と、被さり体６の前方内側に設けられた食べ物を引掛けるための突起８とからなっている。【選択図】図１
2005205178.tif 000002
【特許請求の範囲】
【請求項１】
柄と、この柄の先端側に設けられた開閉動作可能に設けられたスプーン本体と、このスプーン本体に被さり該スプーン本体の縁に該スープ本体内に入っている汁物が該縁から漏れ出さない程度に略密着するように設けられた被さり体と、前記スプーン本体を前記柄を握った手の指で操作して開閉させるための操作部とからなり、前記操作部の操作により開き状態にして汁物をスプーン本体に入れ、閉じ状態にして被さり体で該スプーン本体を被って口まで持って行き、開き状態にして該汁物を口に入れるように操作することを特徴とするスプーン。
【請求項２】
柄と、この柄の先端側に固定設けられたスプーン本体と、このスプーン本体に被さり該スプーン本体の縁に該スープ本体内に入っている汁物が該縁から漏れ出さない程度に略密着するように設けられた被さり体と、この被さり体を前記柄を握った手の指で操作して開閉させるための操作部とからなり、前記操作部の操作により開き状態にして汁物をスプーン本体に入れ、閉じ状態にして被さり体で該スプーン本体を被って口まで持って行き、開き状態にして該汁物を口に入れるように操作することを特徴とするスプーン。
【請求項３】
操作部の操作によりスプーン本体あるいは被さり体が上下開閉動作するようにしてなることを特徴とする請求項１、２いずれか記載のスプーン。
【請求項４】
操作部の操作によりスプーン本体あるいは被さり体が横開閉動作するようにしてなることを特徴とする請求項１、２いずれか記載のスプーン。
【請求項５】
柄と、この柄の先端側に設けられた深い形態のスプーン本体と、このスプーン本体上で回動するように設けられ固形物挟持体と、この固形物挟持体を前記柄を握った手の指で操作して回動させるための操作部とからなり、前記操作部の操作により前記固形物挟持体と前記スープ本体の縁で固形物を挟持して該挟持したまま口に持って行くことができるようにしてなることを特徴とするスプーン。
【発明の詳細な説明】
【技術分野】
【０００１】
本発明は、障害者等が使用するのに適したスプーンに関する。
【背景技術】
【０００２】
従来のスプーンは柄とこの柄の先端に固定されたスプーン本体とから構成されている。
【０００３】
したがって、片手しか使えなく手や指の動きの不自由な人が使用する場合には、汁物や載せた物を口に持ってゆく途中で震えなどによりこぼしてしまう、皿上に残り少なくなった固形物をうまくスプーン上に載せられないという欠点があった。
【特許文献１】特になし
【発明の開示】
【発明が解決しようとする課題】
【０００４】
本発明は以上のような従来技術の欠点に鑑み、身障者でも載せた物をこぼすことなく且つ固形物も掴み口に持って行くことができるスプーンを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために本発明は、柄と、この柄の先端側に根元側で上下方向に回動可能に設けられたスプーン本体と、このスプーン本体に被さり該スプーン本体の縁に該スープ本体内に入っている汁物が該縁から漏れ出さない程度に略密着するように設けられた被さり体と、前記スプーン本体を前記柄を握った手の指で操作して開閉させるための操作部とでスプーンを構成している。
【発明の効果】
【０００７】
以上の説明から明らかなように、本発明にあっては次に列挙する効果が得られる。
【０００８】
（１）柄と、この柄の先端側に設けられた開閉動作可能に設けられたスプーン本体と、このスプーン本体に被さり該スプーン本体の縁に該スープ本体内に入っている汁物が該縁から漏れ出さない程度に略密着するように設けられた被さり体と、前記スプーン本体を前記柄を握った手の指で操作して開閉させるための操作部とから構成されているので、
被さり体によりスプーン本体の中のものが震があってもこぼれるのを防止ししながら口にスプーンを持ってゆくことができるという効果を得ることができる。
（２）柄と、この柄の先端側に固定設けられたスプーン本体と、このスプーン本体に被さり該スプーン本体の縁に該スープ本体内に入っている汁物が該縁から漏れ出さない程度に略密着するように設けられた被さり体と、この被さり体を前記柄を握った手の指で操作して開閉させるための操作部とからなり、この操作部の操作により開き状態にして汁物をスプーン本体に入れ、閉じ状態にして被さり体で該スプーン本体を被って口まで持って行き、開き状態にして該汁物を口に入れるように操作するスプーンは、
被さり体によりスプーン本体の中のものが震があってもこぼれるのを防止ししながら口にスプーンを持ってゆくことができるという効果をえることができる。
（３）前記（１）、（２）において、操作部の操作によりスプーン本体あるいは被さり体が上下開閉動作するようにしてなるスプーンは、ことを特徴とする請求項１、２いずれか記載のスプーンまた、操作部の操作により被さり体が略垂直など大きく起き上がるようにしてなるものは、
被さり体によりスプーン本体の中のものが震があってもこぼれるのを防止ししながら口にスプーンを持ってゆくことができるとともに、固形物をスプーン本体と被さり体で挟んで口に持って行き食することができるので、一つのスプーンで汁物と固形物を食せるという効果を得ることができる。
（４）前記（１）、（２）において、操作部の操作によりスプーン本体あるいは被さり体が横開閉動作するようにしてなるスプーンは、
汁物を口に入れる際に、閉じ状態でスプーン本体と被さり体を口に咥えておいてから開き汁物を口に入れることができるので、確実に殆ど失敗なく汁物を食することを可能とし、強い安心感を食事をする者に与えストレスを感じさせないという効果を得ることができる。
（５）柄と、この柄の先端側に設けられた深い形態のスプーン本体と、このスプーン本体上で回動するように設けられ固形物挟持体と、この固形物挟持体を前記柄を握った手の指で操作して回動させるための操作部とからなり、操作部の操作により前記固形物挟持体と前記スープ本体の縁で固形物を挟持して該挟持したまま口に持って行くことができるようにしてなるスプーンは、
スプーン本体が深い形態であるので、多少の震え程度では汁物を溢さずに口に持って行くことができるとともに、固形物も挟持して持ってゆけるので、一つのスプーンで食事全体をカバーできるという効果を得ることができる。
【発明を実施するための最良の形態】
【０００９】
以下、図面に示す発明を実施するための最良の形態により、本発明を詳細に説明する。
【００１０】
図１および図２に示す本発明を実施するための最良の第１の実施の形態において１はスプーンであって、このスプーン１は柄２と、この柄２の先端側に根元側で軸支部３で軸支され下方向に回動可能に設けられ且つスプリング４により上向き方向に付勢されたスプーン本体５と、柄２の先端側にスプーン本体５の縁に被さるように固定設けられた略リング形態の被さり体６と、スプーン本体５を柄２を握った手の指で押し込み操作して回動させるための押し込みボタンからなる操作部７と、被さり体６の前方内側に設けられた食べ物を引掛けるための突起８とからなっている。
スプリング４の付勢力により降ろされたスプーン本体５を自動的に閉じ動作される。
【００１１】
（発明を実施するための異なる形態）
次に、図３ないし図４に示す本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１２】
図３に示す本発明を実施するための最良の第２の実施の形態において１０はスプーンであって、このスプーン１０は柄２と、この柄２の先端側に固定設けられたスプーン本体１１と、柄２の先端側にスプーン本体１１の縁に被さるように軸支部１３で軸支され上方向に回動可能に設けられ且つ軸支部１３の後方の根元側をスプリング１４で閉じ付勢されている略リング形態の被さり体１５と、この被さり体１５を柄２を握った手の指で押し込み操作して回動させるための押しボタンからなる操作部１６とからなっている。
【００１３】
図４に示す本発明を実施するための最良の第３の実施の形態において前記本発明の最良の第２の実施の形態と主に異なるところは、操作部の構成を被さり体１５の根元側に立上って指で引き倒す形態の操作部１８としたスプーン１９を形成した点にある。
【００１４】
図５に示す本発明を実施するための最良の第４の実施の形態において前記本発明の最良の第１の実施の形態と主に異なるところは、操作部の構成をスプーン本体５の根元側に立下がって（ピストルの引き金形態）人差し指を掛け引く形態の操作部２１としたスプーン２２を形成した点にある。
２３はスプリング。
【００１５】
図６に示す本発明を実施するための最良の第５実施の形態において前記本発明の最良の第２の実施の形態と主に異なるところは、スプーン本体５の根元軸支側を簡略な構造とし、板バネ２４で上向き付勢支持してなるスプーン２５を形成した点にある。
【００１６】
図７に示す本発明を実施するための最良の第６実施の形態において前記本発明の最良の第２の実施の形態と主に異なるところは、被さり体１５の根元側を板バネ２７で前方から押し下げ付勢支持し、操作部１６の操作で略垂直に被さり体１５を起すことができるようにしたスプーン２８を形成した点にある。
このように被さり体を垂直程度まで起すことができるようにすることにより、スプーン上のものを口に入れ易くでき食べ易い。
【００１７】
図８に示す本発明を実施するための最良の第７の実施形態において３０はスプーンであって、このスプーン３０は首部３１を有するスプーン本１１と、首部３１が適当な長さ露出するように該３１を差込固定した柄２と、首部３１と柄２の根元に形成された段差部３６と、首部３１に立設された支持部３２と、この支持部３２に回動自在に支持された操作部３３と、この操作部３３に固定されて該３３の柄１１を握った指による操作により回動するスプーン本体１１に被さる被さり体３４と、この被さり体３４を常にスプーン本体１１に被さり該１１の縁を該１１内の汁物が漏れ出ないように付勢する付勢手段３５とからなり、操作部３３を下げ操作した場合に該３３の根元側が柄２に当たることなく段差部３６より柄２を過ぎた奥側に押し込むことができ、これにより被さり体３４を略垂直から垂直以上に起こすことができるようになっている。
操作部３３の先端表には指掛部３７が設けてあり、指を確実に掛け操作をし易くするとともに、より奥に操作部３３を押し込むことができるようにしている。
このように被さり体を略垂直から垂直以上に起こすことをできるようにすることにより、該被さり体を鼻に当てることなく掬い取った汁物を飲むことができる。
被さり体はリング形態、完全被い形態でもよく、完全被い形態では汁物が見えるように透明部材がよい。
【００１８】
図９に示す本発明を実施するための最良の第８の実施形態において４０はスプーンであって、このスプーン４０は柄２と、柄２に固定されたスプーン本体１１と、このスプーン本体１１の上部に被さり該１１に入れた汁物が口に運ぶ間に振るえなどで零れ落ちないようにするためのリング形態の被さり体４１と、この被さり体４１を柄２を握った手の指で横に回動操作するための操作部４２と、この操作部４２を横に回動操作可能に支持する支持部４３と、被さり体４１が所定の被さり状態位置に止めるストッパー４４とからなっている。
開閉操作は全て指で操作する。
スプーン本体と被さり体を口に含んでおいてから該被さり体をずらし外して汁物を飲むことができるので大変使用しやすいし失敗がない。
【００１９】
図１０に示す本発明を実施するための最良の第９の実施形態において４７はスプーンであって、このスプーン４７は前記第８の実施形態のスプーン４０の構成と主に異なる点は、支持部を内部に発条スプリング（図示せず）を設けた支持部４８としたものであり、操作部４２を指で左側に回動させると被さり体４１は右側に回動し、操作部４２を押すのを止め戻すと発条スプリングの付勢力により被さり体４１は自動的にスプーン本体１１上に戻る。
【００２０】
図１１に示す本発明を実施するための最良の第１０の実施形態において５０はスプーンであって、このスプーン５０は前記第９の実施の形態の構成と主に異なる点は、被さり体５１は平板透明部材からなり且つ柄２に動かないように固定され、スプーン本体１１は支持部４８に固定されて操作部４２により横に回動するようにした点にある。
操作部４２を右側に回動させるとスプーン本体１１は左側に回動し被さり体５１外に出る。
操作部は図のよう形態にとどまらず、使用者の手指の障害状態に応じて曲げて任意の形に形成できるようなものがよい。
【００２１】
図１２ないし図１４に示す本発明を実施するための最良の第１１の実施形態において５５はスプーンであって、このスプーン５５は柄２と、この柄の先端側に設けられた円形深形態のスプーン本体５６と、このスプーン本体５６と柄２を連結する連結部５７と、この連結部５７に設けられた回動軸と連結した発条スプリング（図示せず）を容器体に内設した支持部５８と、この支持部５８に回動自在に支持された指掛け部５９を有する操作部６０と、この操作部６０に設けられたスライド歯部６１と、このスライド歯６１に噛合う歯車部６２と、この歯車部６２を固定し柄２に設けられた鍔部６３とスプーン本体５６間に回動自在に渡された回動軸６４と、この回動軸６４のスプーン本体５６内に突き出した部位に固定され該５６の縁半分の上部に載るように形成された回動軸６４の回動と一体となって回動動作する線形態部材からなる固形物挟持体６５とからなり、操作部６０の引き操作により固形物挟持体６５を回動上げ（図１３）、操作部の６０の緩め離し操作により固形物６６を固形物挟持体６５とスープ本体５６の縁で発条スプリングの戻り付勢力により挟持して（図１４）挟持したまま口に持って行くことができるようにしてなるものである。
線形態部材の固形物挟持体６５がスープ本体５６の縁に載っているので、汁物を食す場合いは固形物挟持体６５を操作することなくそのまま汁物を掬い取り固形物挟持体６５をスープ本体５６の縁に載せたままで何ら操作することなく口に咥えて口に入れることができる。
【００２２】
図１５および図１６に示す本発明を実施するための最良の第１２の実施形態において６８はスプーンであって、このスプーン６８の前記第１１の実施の形態のスプーン５５の構成と主に異なる点は、固形物挟持体を平板形態の固形物挟持体６９とした点にある。
【産業上の利用可能性】
【００２３】
本発明はスプーンを製造する産業で利用される。
【図面の簡単な説明】
【００２４】
【図１】本発明の最良の第１の実施の形態の動作側面図。
【図２】図１の斜視図。
【図３】本発明の最良の第２の実施の形態の動作側面図。
【図４】本発明の最良の第３の実施の形態の動作側面図。
【図５】本発明の最良の第４の実施の形態の動作側面図。
【図６】本発明の最良の第５の実施の形態の動作側面図。
【図７】本発明の最良の第６の実施の形態の動作側面図。
【図８】本発明の最良の第７の実施の形態の動作側面図。
【図９】本発明の最良の第８の実施の形態の動作平面図。
【図１０】本発明の最良の第９の実施の形態の動作平面図。
【図１１】本発明の最良の第１０の実施の形態の動作平面図。
【図１２】本発明の最良の第１１の実施の形態の閉じ状態斜視図。
【図１３】本発明の最良の第１１の実施の形態の開き操作を示す斜視図。
【図１４】本発明の最良の第１１の実施の形態の固形物挟持状態を示す斜視図。
【図１５】本発明の最良の第１２の実施の形態の閉じ状態斜視図。
【図１６】本発明の最良の第１２の実施の形態の開き操作を示す斜視図。
【符号の説明】
【００２５】
１：スプーン、                      ２：柄、
３：軸支部、                        ４：スプリング、
５：スプーン本体、                  ６：被さり体、
７：操作部、                        ８：突起、
１０：スプーン、                  １１：スプーン本体、
１３：軸支部、                    １４：スプリング、
１５：被さり体、                  １６：操作部、
１８：操作部、                    １９：スプーン、
２１：操作部、                    ２２：スプーン、
２３：スプリング、                ２４：板バネ、
２５：スプーン、                  ２７：板バネ、
３１：首部、                      ３２：支持部、
３３：操作部、                    ３４：被さり体、
３５：付勢手段、                  ３６：段差部、
３７：指掛部、                    ４０：スプーン、
４１：被さり体、                  ４２：操作部、
４３：支持部、                    ４４：ストッパー、
４７：スプーン、                  ４８：支持部、
５０：スプーン、                  ５１：被さり体、
５５：スプーン、                ５６：スプーン本体、
５７：連結部、                  ５８：支持部、
５９：指掛け部、                ６０：操作部、
６１：スライド歯、              ６２：歯車部、
６３：鍔部、                    ６４：回動軸、
６５：固形物挟持体、            ６６：固形物、
６８：スプーン、                ６９：固形物挟持体。
【図１】
2005205178.tif 000003
【図２】
2005205178.tif 000004
【図３】
2005205178.tif 000005
【図４】
2005205178.tif 000006
【図５】
2005205178.tif 000007
【図６】
2005205178.tif 000008
【図７】
2005205178.tif 000009
【図８】
2005205178.tif 000010
【図９】
2005205178.tif 000011
【図１０】
2005205178.tif 000012
【図１１】
2005205178.tif 000013
【図１２】
2005205178.tif 000014
【図１３】
2005205178.tif 000015
【図１４】
2005205178.tif 000016
【図１５】
2005205178.tif 000017
【図１６】
2005205178.tif 000018